(57)【要約】【課題】写真シール作成装置において利用者が積極的に参加して立体的または抽象的な周景を演出可能にし、撮像に対するアミューズメント性を高め、利用者の満足度を向上することを目的とする。【解決手段】撮像空間の被写体を撮像手段で撮像して撮像画像を作成する撮像処理を許容し、該撮像画像、又は／及び他の取得手段で取得の取得画像等の編集対象画像を、利用者が編集手段で編集して編集画像を作成する編集処理を許容し、所定の画像を出力手段で出力する写真シール作成方法又はその装置に対して、少なくとも周景の一部を構成し、形態が変様する可変様体を備えた。【選択図】    図１
2004179740.tif 000002
【特許請求の範囲】
【請求項１】
撮像空間の一以上の被写体を撮像手段で撮像して撮像画像を作成する撮像処理を許容し、
該撮像画像、又は／及び他の取得手段で取得の取得画像等の編集対象画像を、利用者が編集手段で編集して編集画像を作成する編集処理を許容し、
所定の画像を出力手段で出力する写真シール作成方法であって、
前記撮像空間に備えて少なくとも周景の一部を構成し、形態が変様する可変様体を用いる
写真シール作成方法。
【請求項２】
前記撮影処理の際に前記変様エネルギを前記変様体に付与して変様させる変様付与手段を用いる
請求項１記載の写真シール作成方法。
【請求項３】
前記可変様体に可変色体を用い、
前記変様付与手段に加熱又は／及び吸熱を行う熱処理手段を用い、
前記変様エネルギに熱エネルギを用いる
請求項２記載の写真シール作成方法。
【請求項４】
前記可変様体に可変形体を用い、
前記変様付与手段に接触により前記変様エネルギを付与する接触手段を用い、
前記変様エネルギに力学的エネルギを用いる
請求項２記載の写真シール作成方法。
【請求項５】
撮像空間の一以上の被写体を撮像手段で撮像して撮像画像を作成する撮像処理を許容し、
該撮像画像、又は／及び他の取得手段で取得の取得画像等の編集対象画像を、利用者が編集手段で編集して編集画像を作成する編集処理を許容し、
所定の画像を出力手段で出力する写真シール作成装置であって、
前記撮像空間に設けて少なくとも周景の一部を形成し、変様エネルギを付与することで形態が変様する可変様体を備えた
写真シール作成装置。
【請求項６】
前記撮影処理の際に前記変様エネルギを前記変様体に付与する変様付与手段を備えた
請求項５記載の写真シール作成装置。
【請求項７】
前記可変様体を可変色体で形成し、
前記変様付与手段を加熱又は／及び吸熱を行う熱処理手段で形成し、
前記変様エネルギを熱エネルギとする
請求項６記載の写真シール作成装置。
【請求項８】
前記可変様体を可変形体で形成し、
前記変様付与手段を接触により前記変様エネルギを付与する接触手段で形成し、前記変様エネルギを力学的エネルギとする
請求項６記載の写真シール作成装置。
【請求項９】
画像が出力されるシール紙と、該シール紙の真偽を識別させる識別体を備え、請求項１から８のいずれか１つに記載の写真シール作成方法又は写真シール作成装置に備えられた識別手段で、前記識別体が識別されて前記所定の画像が出力される
シール紙ユニット。
【発明の詳細な説明】
【０００１】
【発明の属する技術分野】
この発明は、例えばゲームセンター等のアミューズメント施設に設置し、利用者を撮像してその撮像画像に落書き編集することを許容し、編集後の編集画像を出力して写真シールシートを作成するような、写真シール作成方法とその装置に関する。
【０００２】
【従来の技術】
従来、撮像画像に変化をつけるために様々な工夫がなされてきた。例えば、周景に変化をつける技術に着目すると、背景に文字等を書き込み、消去可能なバックボード部を設け利用者が該バックボード部に目的に合った文字等を書き込んで撮影するものが提案されている（特許文献１参照）。
【０００３】
上述した従来例の場合、利用者の意思で目的どおりの背景を演出できるが、思いもかけない予想外の背景を演出できる場合が少ない。また、文字等が落書きされているバックボード部は平面であるため、立体感あふれた背景を演出することは難しい。
【０００４】
他にも、周景に形成したカーテン等を送風手段等により周景に変動をもたせることにより、動的に変化に富んだ立体的な周景を構成して撮像するものが提案されている（特許文献２参照）。
【０００５】
しかし、アミューズメント性を高めるための手段として利用者が自ら参加して周景を演出することができる点に着目すると、この先行技術は利用者が周景の構成を決定できる要素は送風量を調節しカーテン等のなびかせ方を変えたり、背景を数パターンの中から選択できることであり、利用者が自ら参加して周景を演出することができる度合いは少ないという制約がある。
【０００６】
【特許文献１】
特開平１０−１２６７２６号公報
【特許文献２】
特願２００２−１６９９４８号。
【０００７】
【発明が解決しようとする課題】
そこでこの発明は、予想外の周景の一部を利用者が積極的に参加して演出でき、さらに落書では得られない立体的または抽象的な周景を演出できることにより、遊び感覚を増幅させ、アミューズメント性をさらに高めた写真シール作成装置の提供を目的とする。
【０００８】
【課題を解決するための手段】
この発明は、撮像空間の一以上の被写体を撮像手段で撮像して撮像画像を作成する撮像処理を許容し、該撮像画像、又は／及び他の取得手段で取得の取得画像等の編集対象画像を、利用者が編集手段で編集して編集画像を作成する編集処理を許容し、所定の画像を出力手段で出力する写真シール作成方法又はその装置であって、前記撮像空間に備えて少なくとも周景の一部を構成し、形態が変様する可変様体を用いる写真シール作成方法又はその装置であることを特徴とする。
【０００９】
前記撮像手段は、デジタルカメラ又はデジタルビデオカメラで構成することを含む。
【００１０】
前記他の取得手段は、カメラ付き携帯電話やノートパソコン等の携帯情報端末と通信する通信手段、フレキシブルディスクや不揮発性メモリ媒体等の記憶媒体に記憶の情報を読み取る記憶媒体読取手段、写真や絵画等の実画像をスキャニングするスキャナ等、画像データを取り込み可能なデータ取込手段で構成することを含む。
【００１１】
前記取得画像は、通信手段又は記憶媒体読取手段等のデータ取込手段で取得する画像、すなわち個人用デジタルカメラでの撮像やパソコンでのグラフィック制作等によるデジタル画像や、写真や絵画等の実画像をスキャナでスキャニングしたスキャニング画像で構成することを含む。
【００１２】
前記編集対象の画像は、前記撮像画像のほか、通信手段又は記憶媒体読取手段等のデータ取込手段で取得する画像、すなわち個人用デジタルカメラでの撮像やパソコンでのグラフィック制作等によるデジタル画像や、写真や絵画等の実画像をスキャナでスキャニングしたスキャニング画像で構成することを含む。
【００１３】
前記編集手段は、タッチペン又は指でタッチされた座標を取得するタッチパネルやマウス等のポインティングデバイスで構成することを含む。
【００１４】
前記所定の画像は、前記撮像画像、前記デジタル画像、又は前記スキャニング画像等の編集前の画像、又はこれら編集前の画像を編集手段で編集した編集画像、又は、前記編集前の画像又は／及び前記編集画像から選択された複数の画像で構成することを含む。
【００１５】
前記出力手段は、モノトーンプリンタ、セピア（ｓｅｐｉａ）トーンプリンタ又はカラープリンタ等画像を出力する出力手段、画像データを送信する通信手段、又は画像データを記憶媒体に書き込む記憶媒体リーダ／ライタで構成することを含む。
【００１６】
前記周景は、被写体の前景や背景等、撮像画像中で被写体以外が写っている周囲の部分を指す。
【００１７】
前記可変様体は、形状が布、板等の面状体、紐状の線状体、任意の大きさの物体、およびそれらの集合体の１つ以上で構成することを含み、後述する可変色体又は可変形体を含む。なお、上記面状体の形状は、紙、布、ナイロンシート等、平面形状で形成することを含む。
【００１８】
前記変様エネルギは熱エネルギ、力学的エネルギ、電気的エネルギ、電磁場のエネルギ等、可変様体を変様させるために付与するエネルギを含む。
【００１９】
好ましい実施の形態として、前記撮影処理の際に前記変様エネルギを前記変様体に付与して変様させる変様付与手段を用いることができる。
【００２０】
前記変様付与手段は、加熱／除熱用送風装置、前記可変様体に外力を付加して変様を誘発する外力付加装置、加圧装置、振動を与える振動装置、電圧を与える電圧供給装置等、前記可変様体を変様可能にする前記変様エネルギを付与する装置で構成することを含む。
【００２１】
また、好ましい実施の形態として、前記可変様体に可変色体を用い、前記変様付与手段に加熱又は／及び吸熱を行う熱処理手段を用い、前記変様エネルギに熱エネルギを用いる。
【００２２】
前記可変様体に可変色体を用い、前記変様付与手段に熱処理手段を用い、前記変様エネルギに熱エネルギを用いることができる。
【００２３】
前記可変色体は、温度の値に応じて表面が所定の色に変色する表面温度感熱示温材を添着した任意の物体であることを含む。
【００２４】
また、前記可変色体の変色は少なくとも１部分の色が有色から異なる有色へ、有色から無色へ、または無色から有色へ変色することを含み、変色前後、又は変色途中の色等、変色過程の色が混じり合ったグラデーション、濃淡のはっきりした構成色への変色を含む。また、該変色は、複数色または単色への変色であることを含む。
【００２５】
また、前記可変色体は、人が接触等により体温で、又は人が任意の物体を用いて前記熱処理手段で熱エネルギを付与して該可変色体を変色できる構成を含む。
【００２６】
さらに、前記可変色体は、人、又は／及び前記熱処理手段で熱エネルギを付与する前の状態に復元できる構成を含む。
【００２７】
また、該可変色体は、１つまたは複数の前記表面温度感熱示温材を添着した部材で形成することを含み、部分毎に異なる種類の表面温度感熱示温材を添着することを含む。
【００２８】
前記可変色体に人、又は／及び前記熱処理手段により前記変様エネルギとして熱エネルギを付与することができ、該可変色体を変色できる。
【００２９】
前記熱処理手段は前記可変色体に熱エネルギを付与することで表面温度や内部温度等の温度を変化させるために加熱、又は／及び吸熱する手段であり、熱風、除熱風等の気体を送風する送風装置、加熱、冷却した液体を噴霧する噴霧装置又は送水する送水装置あるいは加熱、冷却した物体を直接可変様体に接触させる駆動装置等で構成することを含む。
【００３０】
また、好ましい実施の形態として、前記可変様体に可変形体を用い、前記変様付与手段に接触により前記変様エネルギを付与する接触手段を用い、前記変様エネルギに力学的エネルギを用いることができる。
【００３１】
前記可変形体は、人、又は／及び前記接触手段で力学的エネルギを付与すると少なくとも１部分の形状が伸縮、屈曲、屈折、押圧して変形することができる任意の物体で形成することを含み、形状記憶部材、又は低反発部材で形成することを含む。
【００３２】
前記該形状記憶部材は自由な変形を許容した後に所定の温度に加熱すれば元の形状に戻る部材で構成することを含み、前記可変形体を該形状記憶部材の１つまたは複数を用いて、任意の物体の部分毎に異なる種類添着したり、また繊維状にして任意の物体に縫合する等により形成することを含む。
【００３３】
前記低反発部材は低反発のウレタン樹脂部材、ゴム状の部材等で形成することを含み、板状、球状、多角形状等、任意の形状で形成した低反発部材を任意の大きさの物体の少なくとも１部分に使用して前記可変形体を形成することを含む。
【００３４】
前記接触手段は、気体又は液体を圧縮機で圧縮させて形成した気圧又は水圧を用いて力学的エネルギを付与する高圧付与装置、送風により力学的エネルギを付与する送風装置、送水により力学的エネルギを付与する送水装置、又は任意の物体により該可変形体に接触させて力学的エネルギを付与する駆動装置等を含む。
【００３５】
さらに、前記可変形体は人、又は／及び前記接触手段で前記力学的エネルギを付与する前の状態に復元できる構成を含む。
【００３６】
なお、前記の周景は前記可変色体と前記可変形体とを組み合わせて構成してもよい。
【００３７】
またこの発明は、画像が出力されるシール紙と、該シール紙の真偽を識別させる識別体を備え、前記写真シール作成方法又は前記写真シール作成装置に備えられた識別手段で、前記識別体が識別されて前記所定の画像が出力されるシール紙ユニットとすることができる。
【００３８】
前記識別体は、非接触でデータを読書きするＩＤタグ、情報を記録したバーコード又はＩＣカード、又は、特定形状に形成したシール紙ユニットのユニット形状であることを含む。
【００３９】
前記識別手段は、ＩＤタグに記憶のデータを読取るＩＤタグリーダ、バーコードを読取るバーコードスキャナ、ＩＣカードに記憶のデータを読取るＩＣカードリーダ、特定形状に形成したシール紙ユニットのユニット形状と嵌合する嵌合部であることを含む。
【００４０】
前記シール紙ユニットは、識別体とシール紙とを一体にして構成する、あるいは前記識別体とシール紙とを別体にして構成することを含む。
【００４１】
【発明の効果】
この発明により、立体的または抽象的な周景を構成できるため撮像画像のバリエーションが増加する。また利用者自ら参加して思いのままに周景を創作できるので利用者の創作意欲を刺激し、さらに思いもかけない周景の撮像画像を取得することができるという楽しみがあるため、撮像に対する利用者のアミューズメント性が向上する。これらにより、利用者の満足度が向上し、施設の売上向上を図ることができる。
【００４２】
【発明の実施の形態】
この発明の一実施形態を以下図面と共に説明する。
まず、図１に示す正面右上から見た斜視図と共に、写真シール作成装置１の外観について説明する。
【００４３】
写真シール作成装置１は、ボックス状の枠体３で囲繞した撮像空間５の正面奥側に筐体４を備えており、前記枠体３の上辺からは側面及び正面にカーテン２（右側面及び正面は図示省略）を吊るして撮像空間５を外界から隔離している。
【００４４】
前記筐体４には、正面中央に前下がりの傾斜部を形成して該傾斜部にモニタ１４を備える。該モニタ１４には、タッチパネル１５ａを重ねて設け、その左右に備えたタッチペン１５ｂ，１５ｂで該タッチパネル１５ａをタッチさせて、利用者の入力を許容する。
【００４５】
前記傾斜部の上方には、中央にデジタルカメラ１２を備え、該デジタルカメラの左右にストロボ発光する被写体照明装置１３，１３を配設する。なお、該被写体照明装置１３は、ボックス状に形成して正面を白色半透明の拡散板で形成し、他の面を白色塗装した反射板で形成する。これにより、ストロボ発光体で奥側に向かって照射する照射光を前記反射板で反射し、その反射光を拡散板で拡散して主に被写体を略均一に照明する。
【００４６】
前記傾斜部の下方正面には、硬貨の投入を許容する貨幣投入口１６ａを備え、筐体４の右側面下部には、作成した写真シールシートを排出する写真シール排出口１８ａを備える。
【００４７】
該写真シール排出口１８ａの内部には、図２の部分拡大図（一部断面図）に示すように、パーソナルコンピュータで構成した制御装置１１とその上方に設置したプリンタ１８を備える。
【００４８】
該プリンタ１８は、シール紙ユニット１０をセット可能に形成し、背面側にＩＤタグリーダ／ライタ１７を備える。
【００４９】
前記シール紙ユニット１０は、ロール状のシール紙１０ｂとその側面に備えたＩＤタグ１０ａで構成し、該ＩＤタグ１０ａは前記ＩＤタグリーダ／ライタ１７によるデータの読書きを許容する。なお、前記プリンタ１８でシール紙１０ｂに画像を出力されて作成された写真シールシート１０ｃは、前記写真シール排出口１８ａから排出する。
【００５０】
図１に示した撮像空間５の手前側には、可変色カーテン２０を備える。該可変色カーテン２０の手前側（裏面側）の人が２人並んだ状態で人の腰部、胸部の高さに相当する位置に向けて熱風を送風する加熱用送風装置２２が４機設置され、さらに、該可変色カーテン２０の下方手前側（裏面側）には、可変色カーテン２０に向けて下方から上方へ向けて除熱風を送風する除熱用送風装置２３が設置されている。なお、可変色カーテン２０の下方奥側には、可変色カーテン２０を照明する演出照明装置２１が設置されている。
【００５１】
なお、可変色カーテン２０は、図６の正面図に示すように、通常のカーテンの表面（つまり背景）の全体に加熱によって白色から赤系統の色に変色する表面温度感熱示温材１９ａを添着し、さらに表面温度感熱示温材１９ａの表面に加熱によって白色から黄系統の色に変色する肩幅程度の大きさで形成した表面温度感熱示温材１９ｂを該カーテンの上方位置に添着し、また加熱によって白色から青系統の色に変色するこぶし大の表面温度感熱示温材１９ｃを該カーテンの下方位置に添着して、形成している。
【００５２】
さらに、利用者が触れたり送風の際においても可変色カーテン２０を安定させ固定するためにチャックするチャック２６を可変色カーテン２０の下端両端部に備える。なお、このチャック２６の取付け位置は枠体３である（取付け部は図示せず）。
【００５３】
また、加熱用送風装置２２、除熱用送風装置２３、及び前記チャック２６は、筐体４の内部に備えた前記制御装置１１に電気的に接続している。
【００５４】
また、利用者が手動で熱風、冷風の供給をスイッチで切り換えながら可変色カーテンを変色するために使用するペイント用送風器２４が前記モニタ１４の左横に設置されている。該ペイント用送風器２４は利用者が該設置箇所から取り外して単独で用いられるため、制御装置１１とは独立した構成となる。
【００５５】
以上の構成により、加熱用送風装置２２、除熱用送風装置２３またはペイント用送風器２４の構成を用いたり、利用者が直接可変色カーテン２０に触れるなどして該可変色カーテン２０を変色させることで、背景色を自ら変色して楽しむことができ、また様々な色を組み合わせた背景を演出することができる。
【００５６】
次に、図３に示すブロック図と共に、写真シール作成装置１の制御回路の回路構成について説明する。
【００５７】
制御装置１１は、ＣＰＵ，ＲＯＭ，及びＲＡＭを内蔵して各装置の制御を実行し、該制御装置１１に接続して以下の各装置を備える。なお、制御装置１１は、加熱用送風装置２２及び除熱用送風装置２３の送風制御、及び演出照明装置２１の照明制御も実行する。
【００５８】
デジタルカメラ１２は、制御装置１１からのシャッタ信号を受けて撮像を実行し、該撮像による撮像画像を静止画データで、また撮像前のプレビュー画像を動画データで、それぞれ画像データとして制御装置１１に送信する。
【００５９】
被写体照明装置１３は、制御装置１１からの照明制御信号に従ってストロボ発光を実行し、撮像時に被写体を略均一に照明する。なお、該被写体照明装置１３は、ストロボ照明に加えて蛍光灯照明装置又は／及び白熱灯照明装置を追加しても良く、またストロボ照明に替えて蛍光灯照明装置又は／及び白熱灯照明装置を備えても良い。
【００６０】
モニタ１４は、制御装置１１からのＲＧＢ信号に従って、プレビュー、撮像画像、画像編集時のペンツールやスタンプルール等のアイテム画像等、必要な画像を表示する。
【００６１】
入力装置１５は、前述のタッチペン１５ｂ（図１）とタッチパネル１５ａで構成し、利用者にタッチペン１５ｂでタッチされた座標を入力信号として制御装置１１に送信する。
【００６２】
貨幣処理装置１６は、前述の貨幣投入口１６ａ（図１）の内部に位置して設けており、該貨幣投入口１６ａから投入された硬貨の真偽判別及び金種判別を実行する。該真偽判別及び金種判別が正であれば、プレイを開始する起動信号を制御装置１１に送信する。
【００６３】
ＩＤタグリーダ／ライタ１７は、制御装置１１の更新信号に従ってシール紙ユニット１０のＩＤタグ１０ａに印刷残回数などの設定データを記憶させ、読出信号として前記ＩＤタグ１０ａに記憶のＩＤナンバーや印刷残回数などの設定データを制御装置１１に送信する。
【００６４】
プリンタ１８は、制御装置１１からプリント画像データを受信し、該プリント画像をシール紙１０ｂに印刷して作成した写真シールシート１０ｃを排出する。
【００６５】
演出照明装置２１は、制御装置１１の照明制御信号に従った色で可変色カーテン２０を照明する。なお、色のみでなく照明光度も調整可能に形成しても良い。
【００６６】
加熱用送風装置２２は、送風装置２２ａ及び加熱装置２２ｂで構成する。
【００６７】
該送風装置２２ａは、内部にファンとモータを内蔵しており、制御装置１１からの送風制御信号に従って、モータでファンを回転させて可変色カーテン２０に向けた送風を実行する。なお、該送風は送風量を調整可能にしても良く、この場合は送風制御信号で前記モータの回転数を制御すると良い。
【００６８】
また、前記加熱用送風装置２２で熱風を送風する場合は、前記送風装置２２ａで送風した空気を、一旦ヒータを内蔵した加熱装置２２ｂを通過させることにより、加熱して送風する。また、該加熱装置２２ｂには熱電対、温度調節器も内臓しているため、熱風の温度も制御できる。
【００６９】
前記除熱用送風装置２３は前記送風装置２２ａと同様の送風装置で形成する。なお、除熱風を送風する場合は前記送風装置２３による送風をそのまま、つまり常温の空気を送風して除熱する。
【００７０】
記憶装置２７は、照明光度やプレイ料金等の各種設定データ、及び必要なプログラムを記憶する。
【００７１】
以上の構造により、可変色カーテン２０に熱風等の送風、又は／及び人等による接触で変様エネルギを付与して色変化を与えることができ、バリエーション豊かで色変化のある背景を演出することができる。
【００７２】
次に、図４に示す処理フロー図と共に、写真シール作成装置１の動作について説明する。
【００７３】
利用者によって貨幣投入口１６ａ（図１）に硬貨（コイン）が投入されると、貨幣処理装置１６（図３）が制御装置１１に起動信号を送信してプレイを開始する（ステップｎ１）。
【００７４】
制御装置１１は、モニタ１４に図５の画面イメージ図に示すカーテン選択画面を表示し、カーテンによる演出の種類をタッチペン１５ｂでタッチパネル１５ａに触れることにより選択させる（ステップｎ２）。なお、このとき選択可能な種類として、可変色カーテン２０を使用しない「ノーマル」、利用者がペイント用送風器２４、及び接触等により可変色カーテン２０を作成し撮影する「手作り作成パターン」、また、加熱用送風装置２２、除熱用送風装置２３を用いて自動的に背景の色を変色させながら撮影する「自動作成パターン」の計３種類のカーテン設定データを記憶装置２７に予め記憶させておく。
【００７５】
利用者によってカーテンによる演出の種類が選択されると（ステップｎ３）、制御装置１１は、記憶装置２７からカーテン設定データを読取り、可変色カーテン２０をカーテン固定用のチャック２６を閉じる、加熱用送風装置２２、除熱用送風装置２３又は／及び演出照明装置２１を起動するといった環境設定を実行する（ステップｎ４）。
【００７６】
前記ステップｎ３でカーテンによる演出の種類が選択されなかった場合には、制御装置１１は１０秒経過するまで待機した後（ステップｎ５）、可変色カーテン２０を使用しない「ノーマル」での環境設定を実行する（ステップｎ６）。
【００７７】
また、ステップｎ３で「自動作成パターン」による可変色カーテン２０の種類が選択された場合（ステップｎ７）は、制御装置１１の指令により加熱用送風装置２２、除熱用送風装置２３が実行される（ステップｎ８）。
【００７８】
また、前記ステップｎ３で「手作り作成パターン」によるカーテン演出の種類が選択されていた場合（ステップｎ７）は、１分が経過するまでの間（ステップｎ９）、利用者は可変色カーテン２０を触れたりペイント用送風器２４を用いて自ら背景を作成後に完了スイッチ２５を押す（ステップｎ１０）。
【００７９】
ただし、１分経っても完了スイッチ２５が押されない場合は制御装置１１が自動的に撮像処理を行う指令を出す為、作成中、利用者にアナウンス等で残り時間を知らせる。
【００８０】
「自動作成パターン」を選択した場合における撮像処理では（ステップｎ１１）、可変色カーテン２０に熱風、又は／及び除熱風が送風されるため、プレビュー表示と撮像の間、該可変色カーテン２０の表面（つまり背景）が連続的に変色した状態で撮像される。これにより、図６に示すように利用者は様々な色を組み合わせた背景を得た撮像画像を取得することができる。
【００８１】
「手作り作成パターン」を選択した場合における撮像処理では（ステップｎ１１）、スイッチ２５（図１）を押すことにより、制御装置１１はデジタルカメラ１２で撮影している画面をモニタ１４にプレビュー表示し、カウントダウンを行って被写体照明装置１３による略均一照明を得たデジタルカメラ１２による撮像を実行する。これにより、利用者が積極的に思いのままに創作した文字、模様、絵等を背景として撮像画像を取得することができる。
【００８２】
なお、「ノーマル」を選択した場合における撮像処理では（ステップｎ１１）、カーテン選択別環境設定（ステップｎ４）等の処理は行われないため、背景を構成する可変色カーテン２０は加熱されないため変色しない。このため、背景は白色の色のまま撮像画像を取得することができる。この場合、該撮像画像の背景部分は白色の状態で撮像される為、後述する落書き編集処理で、白色部分を適宜の背景画像に入れ替えるクロマキー合成が高精度で行える。
【００８３】
前記撮像処理が終了すると、制御装置１１は撮像画像に落書き編集を許容する落書き編集処理を実行する（ステップｎ１２）。この時点で、制御装置は「自動作成パターン」の場合は、加熱用送風装置２２の稼動を停止する指令を出す。さらに、変色後のカーテンの色を元の状態に戻すため除熱用送風装置２３を用いて除熱するための指令を出し図７に示すように加熱により変色した可変色カーテン２０に除熱風を下方から上方へ吹きつける。このように除熱送風が可変色カーテン２０の除熱して該可変色カーテン２０の色を下方から復元することができ次の撮影に備える。
【００８４】
該落書き編集処理では、図８に示すように落書き編集画像選択画面を表示し、落書き編集する撮像画像を選択させる。選択された撮像画像に対して、縁どりペンやらめペン等のペンツール、及び、さくらんぼや犬等の画像をスタンプのように書込めるスタンプツール等の落書きツールによる落書き編集を許容する。
【００８５】
また、落書き編集処理では、例えば背景の色を赤から青に変更する処理や、背景にオーロラ等のグラデーション色を付与する処理等、周景の色変更を実行する周景色変更機能を備えている。該周景の色変更は、周景に対するトーンカーブや色調の変更又は補正で実行することができ、周景の抽出にはクロマキー合成を利用することができる。これにより、写真シールシート１０ｃの変化の幅を増大させることができる。
【００８６】
前記落書き編集処理が終了すると、制御装置１１は落書き編集画像をプリンタ１８でシール紙１０ｂに印刷し（ステップｎ１３）、完成した写真シールシート１０ｃ（図２）を出力し（ステップｎ１４）、プレイを終了する。
【００８７】
以上の動作により、撮像、編集、印刷の各処理を経て写真シールシート１０ｃを自動作成できる。該写真シールシート１０ｃは、図９に示すように可変色カーテン２０の色変化によりバリエーション豊かな背景を得た画像となり、複数回利用している利用者でも飽きることなく満足することができる。また撮像処理の際には、背景を含めてプレビュー確認して撮像できるため、変様効果にあわせたポーズをとる等、アミューズメント性を向上することができる。
【００８８】
なお、可変色カーテン２０は撮像空間５の筐体４に近い位置に小さく設け、被写体の前景等、背景以外の周景を演出可能に形成しても良い。
【００８９】
また、演出照明装置２１は、照明光を点滅させるように構成しても良く、また色合を変化させるように構成しても良い。これにより、照明による変化の幅が広がり、アミューズメント性を高めることができる。
【００９０】
また、図１０に示すように可変色カーテン２０を振動させる振動装置２８を備え、可変色カーテン２０を小刻みに振動させても良い。これにより、形態の変形を可変色カーテン２０に与えることができ、加熱用送風装置２２、除熱用送風装置２３、振動装置２８とを組み合わせて使用すれば、振動の影響で細かな斑のある色変化が生じる等、撮像画像のバリエーションが飛躍的に増大する。
【００９１】
また、図１１に示すように表面温度感熱示温材１９を文字、模様、絵等の形状にして可変色カーテン２０の一部分又は複数ヶ所に添着して熱風をあてると、文字、模様、絵等が浮かび上がってさらにバリエーション豊かな背景ができる。
【００９２】
また、表面温度感熱示温材１９の種類を小さな温度変化によっても変色するもの（例えば１度刻み）、大きな温度変化によっても変色するもの（例えば５度刻み）をそれぞれ１種類以上選択して同一カーテン上に配置すれば、熱風を送風したときに部分ごとに色の変化の差がでるためバリエーション豊かな背景ができる。
【００９３】
さらに、表面温度表面温度感熱示温材１９は温度に応じて所定の色に変色するが、所定の温度に達する時間によっても変色後の色は異なるという性質を有する。この性質を利用すると、熱風の風量や温度を変えながら送風しれやれば可変色カーテン２０の各部分ごとに加熱速度を変えることができるため、限られた種類の表面温度感熱示温材１９であってもより色の変化の幅が増大する。
【００９４】
また、加熱用送風装置２２、除熱用送風装置２３、ペイント用送風器２４を備えず、利用者が手や顔等の体の一部で可変色カーテン２０に体温を付与し該体温で可変色カーテン２０を変色可能に構成してもよい。この場合、図４の処理フローにおいて、ステップｎ２の次にステップｎ９及びステップｎ１０を実行し、該ステップｎ１０の次にステップｎ１１を実行するように設定すればよい。これにより、利用者は制限時間（６０秒）以内で可変色カーテン２０を手足等で変色させ創作性のある背景を作成して撮像することが可能となる。この場合は、変様エネルギとしての熱エネルギの付与を利用者の体温で賄うため、低コストで写真シール作成装置１を製造し安価に提供可能となる。
【００９５】
なお、前記加熱用送風装置２２および除熱用送風装置２３の送風を吹き付ける送風口を所定の角度だけ回転、またはＸＹプロッタのように上下左右に直動運動が可能な構造にしておくと、撮像の際、送風口の動作に応じて可変色カーテン２０にあたる熱風の場所が刻々と変化し、該熱風のあたる場所に応じて該可変色カーテン２０は変色するため、バリエーション豊かな背景ができる。
【００９６】
常温よりも低い温度で変色する表面温度感熱示温材１９を用いる場合や加熱後の可変色カーテン２０をより短時間で除熱したい場合は、除熱用送風装置に冷却装置を別途設けて冷却風を送風してもよい。
【００９７】
また、好ましい実施例として、図１２の右側面図に示すように、前記可変色カーテン２０に代えて形状記憶合金２９をカーテンの繊維に縫いこんだ可変形カーテン３１を使用してもよい。この場合、人による直接的な接触、又は任意の物体を介した間接的な接触及び外力付加装置（後述）等により、力学的エネルギを付与して形状が変形する可変形体２９の性質を利用し、カーテンの折り曲げ、湾曲、伸縮等の形状を変化さることができる。
【００９８】
なお、前記外力付与装置は必要に応じて前記可変形カーテン３１に付与する外力の大きさを調節して形状を変化させることができるグリッパを先端に備えた
マニピュレータで構成するとよい。例えば前記マニピュレータは関節を３つ備えたロボットアーム、前記グリッパは２本の爪が開閉して物体の両側から把持可能な小さな把持装置で形成した場合、該構成のマニピュレータを前記可変形カーテン３１の背後にある壁面上の中央部の人頭高さ相当位置に設置し、前記グリッパで前記可変形カーテン３１の端部を摘んで折り曲げる、押し出す、又はねじることで渦形状を作成する等により自動的に多様な形状を形成することができる。
【００９９】
さらに、その他の可変形体を用いた実施例として、図１３の説明図に示すように、外力を付与しても数分間で除々に元の形状に復元する板状の弾性ウレタンフォーム３０を周景部材として使用してもよい。図中の（ａ）は写真シール作成装置１の右側面図、（ｂ）は弾性ウレタンフォーム３０の正面図を示す。この場合、付与された外力に応じて弾性ウレタンフォーム３０が凹むため、利用者がもたれたり、押さえたりして力のかけ方で好みの凹凸を形成できる。
【０１００】
利用者が形成した凹凸はゆっくりと戻るため、撮像中は背景を演出し、編集中に凹凸形状が元に戻って次の利用者が新たに変形できる。
【０１０１】
また、利用者が凹凸を形成した背景により立体感や陰影を強調するために演出用照明装置２１を前記弾性ウレタンフォーム３０にあてる方向、強さ等を利用者が選択可能に構成してもよい。
【０１０２】
これら２種類の可変形体は利用者が積極的に周景を創作する楽しみがあり、さらに立体的な陰影のある背景として撮影できる。
【０１０３】
また、上述した可変色体、可変形体を組み合わせて周景の少なくとも一部を構成してもよい。例えば、表面温度感熱示温材１９で形成した可変色カーテン２０と板状の弾性ウレタンフォーム３０を選択可能にする、又は組合わせ可能にする等により、周景のバリエーションが増加する。
【０１０４】
また、スピーカ等の発音手段を備え、撮像処理中に衝撃音や鳥の鳴き声等の効果音を発音しても良い。これにより、例えば効果音に驚いて弾性ウレタンフォーム３０に手を突いてめり込んだ場面等、利用者が効果音に反射的に反応した撮像画像を取得することができ、撮像画像の変化の幅が増大する。
【０１０５】
この発明の構成と、上述の実施形態との対応において、
この発明の写真シール作成装置は、実施形態の写真シール作成装置１に対応し、以下同様に、
識別体は、ＩＤタグ１０ａに対応し、
撮像手段は、デジタルカメラ１２に対応し、
編集手段は、入力装置１５に対応し、
識別手段は、ＩＤタグリーダ／ライタ１７に対応し、
出力手段は、プリンタ１８に対応し、
可変色体は、可変色カーテン２０に対応し、
可変形体は、可変形カーテン２９及び弾性ウレタン３０に対応し、
熱処理手段は、加熱用送風装置２２及び除熱用送風装置２３に対応し、
接触手段は、外力付加装置に対応し、
変動体照明手段は、演出照明装置２１に対応するも、
この発明は、上述の実施形態の構成のみに限定されるものではなく、多くの実施の形態を得ることができる。
【図面の簡単な説明】
【図１】写真シール作成装置の外観を示す正面右上から見た斜視図。
【図２】写真シール作成装置の内部を示す部分拡大図（一部断面図）。
【図３】写真シール作成装置の制御回路を示すブロック図。
【図４】写真シール作成装置の動作を示す処理フロー図。
【図５】カーテン選択画面を示す画面イメージ図。
【図６】熱風送風時の可変色カーテンのイメージ図。
【図７】除熱風送風時の可変色カーテンのイメージ図。
【図８】落書き編集画像選択画面を示す画面イメージ図。
【図９】写真シールシートを示す平面図。
【図１０】加熱用送風装置、除熱用送風装置及び振動装置を組合わせて演出したカーテンのイメージ図。
【図１１】写真シールシートを示す平面図。
【図１２】形状記憶合金を含む可変形体を背景とした撮影風景を示す概略正面図。
【図１３】弾性ウレタンフォームを背景とした撮影風景を示す説明図。
【符号の説明】
１…写真シール作成装置
５…撮像空間
１０…シール紙ユニット
１０ａ…ＩＤタグ
１０ｂ…シール紙
１０ｃ…写真シールシート
１２…デジタルカメラ
１５…入力装置
１７…ＩＤタグリーダ／ライタ
１８…プリンタ
１８ａ…写真シール排出口
１９…表面温度感熱示温材
１９ａ…赤系統の色に変色する表面温度感熱示温材
１９ｂ…黄系統の色に変色する表面温度感熱示温材
１９ｃ…青系統の色に変色する表面温度感熱示温材
２０…可変色カーテン
２１…演出照明装置
２２…加熱用送風装置
２３…除熱用送風装置
２４…ペイント用送風器
２５…完了スイッチ
２６…チャック
２７…記憶装置
２８…振動装置
２９…形状記憶合金
３０…弾性ウレタンフォーム
３１…可変形カーテン
【図１】
2004179740.tif 000003
【図２】
2004179740.tif 000004
【図３】
2004179740.tif 000005
【図４】
2004179740.tif 000006
【図５】
2004179740.tif 000007
【図６】
2004179740.tif 000008
【図７】
2004179740.tif 000009
【図８】
2004179740.tif 000010
【図９】
2004179740.tif 000011
【図１０】
2004179740.tif 000012
【図１１】
2004179740.tif 000013
【図１２】
2004179740.tif 000014
【図１３】
2004179740.tif 000015